(57)【特許請求の範囲】
【請求項１】
住人が毎日の生活において必ず使用する住宅の所定場所に設置されて当該所定場所の住人を検知するライフリズムセンサと、該ライフリズムセンサが接続されると共に住人を監視する警戒モードと住人の監視を無効とする解除モードに設定可能なコントローラと、を備え、
前記コントローラは、前記解除モードから警戒モードへの自動設定時に使用される警戒モード移行タイマと、ライフリズム異常検知時に使用されるライフリズムタイマを有して、前記警戒モード移行タイマの設定時間が前記ライフリズムタイマの設定時間より短く設定され、
前記コントローラの解除モードの操作を行ったときに前記警戒モード移行タイマがカウントアップし、該カウントアップ中に前記ライフリズムセンサが住人を検知しても、警戒モード移行タイマの前記設定時間が経過するまで警戒モードには移行せず前記設定時間が経過した後に警戒モードに自動的に移行すると共に、前記コントローラが警戒モードのときで前記ライフリズムタイマの予め設定した所定時間内に前記ライフリズムセンサが住人を検知しないときに、ライフリズム異常と判定することを特徴とする緊急通報装置。
【請求項２】
前記住宅の玄関に設置され当該玄関の住人を検知する出入口センサと、前記解除モード時に使用される解除準備タイマを有し、
前記コントローラは、前記警戒モードで前記出入口センサが動作したときに、解除準備モードに設定され前記解除準備タイマがカウントアップして当該解除準備タイマの予め設定した所定時間経過後に前記解除モードに設定し、前記解除準備タイマのカウントアップ中に、前記コントローラの停止スイッチが操作されるかもしくは前記ライフリズムセンサが住人を検知したときに、前記解除準備モードを解除して警戒モードに設定すると共に、前記解除準備タイマの設定時間が前記警戒モード移行タイマの設定時間に対して短く設定されていることを特徴とする請求項１に記載の緊急通報装置。
【発明の詳細な説明】
【技術分野】
【０００１】
本発明は、高齢者等の一人暮らしの家庭に設置されて、高齢者等に体調不良等の緊急事態が発生した場合に、運営会社等に緊急通報を行うことが可能な緊急通報装置に関する。
【背景技術】
【０００２】
従来、この種の緊急通報装置としては、高齢者等の住人が生活する上で毎日必ず使用する場所（トイレ等）に設置されたライフリズムセンサと、このライフリズムセンサが接続されたコントローラを有し、ライフリズムセンサが予め設定した一定時間内に反応しない場合に、コントローラがライフリズム異常（緊急事態）であると判定して、緊急通報装置を管理する運営会社に緊急通報を自動的に行うものが知られている。なお、緊急通報装置に関する公報としては、例えば特許文献１がある。
【先行技術文献】
【特許文献】
【０００３】
【特許文献１】特開２００２−２４９６７号公報
【発明の概要】
【発明が解決しようとする課題】
【０００４】
しかしながら、このような緊急通報装置にあっては、住人が就寝する場合や外出する場合に、一定時間ライフリズムセンサが動作しないことから、コントローラを、住人を監視する警戒モードから住人の監視を無効とする解除モード（外出モード）に設定して、ライフリズムセンサが一定時間動作しなくてもライフリズム異常と判定しないようになっている。ところが、住人が起床した場合や外出先から戻った（帰宅した）場合に、コントローラを再び警戒モードに設定する必要があるが、これを忘れてしまうとライフリズム異常を検知できず、緊急通報装置の信頼性が劣ることになる。特に、この種の緊急通報装置が高齢者等の一人暮らしの家庭に設置されることが多いことから、その改善が望まれているのが実情である。
【０００５】
本発明は、このような事情に鑑みてなされたもので、その目的は、起床時や外出先からの帰宅時に警戒モードに自動的に設定することができて、装置の信頼性を十分に高めつつ安価に形成し得る緊急通報装置を提供することにある。
【課題を解決するための手段】
【０００６】
かかる目的を達成すべく、本発明のうち請求項１に記載の発明は、住人が毎日の生活において必ず使用する住宅の所定場所に設置されて当該所定場所の住人を検知するライフリズムセンサと、該ライフリズムセンサが接続されると共に住人を監視する警戒モードと住人の監視を無効とする解除モードに設定可能なコントローラと、を備え、前記コントローラは、前記解除モードから警戒モードへの自動設定時に使用される警戒モード移行タイマと、ライフリズム異常検知時に使用されるライフリズムタイマを有して、前記警戒モード移行タイマの設定時間が前記ライフリズムタイマの設定時間より短く設定され、前記コントローラの解除モードの操作を行ったときに前記警戒モード移行タイマがカウントアップし、該カウントアップ中に前記ライフリズムセンサが住人を検知しても、警戒モード移行タイマの前記設定時間が経過するまで警戒モードには移行せず前記設定時間が経過した後に警戒モードに自動的に移行すると共に、前記コントローラが警戒モードのときで前記ライフリズムタイマの予め設定した所定時間内に前記ライフリズムセンサが住人を検知しないときに、ライフリズム異常と判定することを特徴とする。
【０００７】
また、請求項２に記載の発明は、前記住宅の玄関に設置され当該玄関の住人を検知する出入口センサと、前記解除モード時に使用される解除準備タイマを有し、前記コントローラは、前記警戒モードで前記出入口センサが動作したときに、解除準備モードに設定され前記解除準備タイマがカウントアップして当該解除準備タイマの予め設定した所定時間経過後に前記解除モードに設定し、前記解除準備タイマのカウントアップ中に、前記コントローラの停止スイッチが操作されるかもしくは前記ライフリズムセンサが住人を検知したときに、前記解除準備モードを解除して警戒モードに設定すると共に、前記解除準備タイマの設定時間が前記警戒モード移行タイマの設定時間に対して短く設定されていることを特徴とする。
【発明の効果】
【０００８】
本発明のうち請求項１または２に記載の発明によれば、コントローラが解除モードのときに、ライフリズムセンサが住人を検知しても、警戒モード移行タイマで予め設定した時間が経過するまで警戒モードに移行せず、警戒モード移行タイマの時間経過後に警戒モードに自動的に移行するため、起床時や外出先からの帰宅時に住人がコントローラを一々操作しなくても、解除モードを自動的に警戒モードに設定できて、装置の信頼性を十分に高めつつ安価に形成することができる。
【０００９】
また、ライフリズムタイマで予め設定した時間内にライフリズムセンサが住人を検知しない場合に、コントローラがライフリズム異常と判定するため、警戒モード中におけるライフリズム異常を確実に検知することができる。
【００１０】
さらに、警戒モード移行タイマの設定時間がライフリズムタイマの設定時間に対して十分短い時間に設定されているため、ライフリズム異常の検知精度を低下させることなく、解除モードから警戒モードへの自動設定を一層確実に行うことができる。
【図面の簡単な説明】
【００１１】
【図１】本発明に係わる緊急通報装置の一実施形態を示す正面図
【図２】同その平面図
【図３】同底面図
【図４】同制御系のブロック図
【図５】同動作の一例を示すフローチャート
【図６】同他の動作を示すフローチャート
【図７】同その説明図
【発明を実施するための形態】
【００１２】
以下、本発明の実施の形態を図面に基づいて詳細に説明する。
図１〜図７は、本発明に係わる緊急通報装置の一実施形態を示している。図１〜図３に示すように、緊急通報装置１は、正面視略正方形状で所定の高さ寸法（奥行き寸法）の薄型箱形状のケースを有するコントローラ２と、後述するライフリズムセンサ１７及び出入口センサ１８等を備えている。コントローラ２の表面側には、緊急時に使用する緊急スイッチ３、相談時に使用する相談スイッチ４、外出時や就寝時に使用する解除スイッチ５、後述する解除準備モードを取り消す解除準備モード停止スイッチ６等の各種スイッチが配置されると共に、マイク７と、報知手段としてのスピーカ８及び表示器９と、後述する操作部１９等が配置されている。なお、コントローラ２の表面側の各部品の配置形態は、一例であって、図示した例に限定されず適宜の形態を採用することができる。
【００１３】
また、コントローラ２の内部には、後述する制御装置１０が配置されると共に、コントローラ２の底面側から制御装置１０に接続され先端にプラグ１１ａを有する電源コード１１が引き出されている。また、コントローラ２の例えば底面には、後述する電話網２１に接続可能な図示しない回線接続部が設けられている。そして、この緊急通報装置１は、取付面となるコントローラ２の裏面が、図示しない取付金具を介して住宅３０（図７参照）の居間３１の壁面に取り付けることで設置されたり、あるいは図示しない取付用ポールをコントローラ２の裏面上部に取り付けることで、居間３１のテーブル等の上に傾斜状態で設置されるようになっている。
【００１４】
前記コントローラ２の制御装置１０は、図４に示すように構成されている。すなわち、制御装置１０は、ＣＰＵ１４とタイマ１５等で構成された制御部１６を有している。この制御部１６のタイマ１５は、後述するように解除モードから警戒モードへの自動設定時に使用される警戒モード移行タイマ１５ａと、ライフリズム異常検知時に使用されるライフリズムタイマ１５ｂと、解除準備モード時に使用される解除準備タイマ１５ｃ等で構成されている。そして、前記制御部１６の入力側には、ライフリズムセンサ１７と、玄関に設置され後述する如く解除準備モード時に使用される出入口センサ１８が接続されると共に、前記解除スイッチ５と解除準備モード停止スイッチ６、及び前記各種スイッチ等を含む操作部１９が接続されている。
【００１５】
また、制御部１６の出力側には、前記スピーカ８と表示器９及び各種リレー２０が接続されると共に、制御部１６には、前記電話網２１に接続可能な電話回線２２と記憶部２３及び無線入出力部２４が接続されている。そして、電話回線２２及び電話網２１を介して、例えば緊急通報が運営会社等に通報されるようになっている。また、無線入出力部２４には、無線により前記センサ１７、１８等が接続可能となっている。なお、制御部１６には、該制御部１６等に電源を供給する電源入力部２５が接続されている。
【００１６】
次に、このように構成された前記緊急通報装置１の動作の一例を図５のフローチャートに基づいて説明する。なお、このフローチャートは、前記記憶部２３に記憶されたプログラムにしたがって自動的に実行される。先ず、前記コントローラ２は、図７に示すように、住宅３０の居間３１の壁面等の所定位置に設置され、前記ライフリズムセンサ１７は、住人Ｍが在宅中に毎日必ず使用するトイレ３２の天井等の所定位置に設置されて、その検知信号がコントローラ２に有線もしくは無線で入力されるようになっている。また、解除準備モード用の前記出入口センサ１８は、玄関３３の天井や壁面等の所定位置に設置され、前記ライフリズムセンサ１７と同様、その検知信号がコントローラ２に入力されるようになっている。なお、前記ライフリズムセンサ１７や出入口センサ１８は、住人Ｍを検知した場合に、パルス状のオン信号を出力するようになっている。
【００１７】
コントローラ２や各種センサ１７、１８が住宅３０の所定位置に設置された状態で、コントローラ２の電源コード１１が住宅３０の電源コンセントに差し込まれて、コントローラ２の前記操作部１９で各種の設定操作が行われると、プログラムが開始される。このプログラムは、図５に示すように、先ず、コントローラ２が「警戒モード」か否かが判断（Ｓ１００）される。このコントローラ２の「警戒モード」とは、住人Ｍが在宅していてその日常の動作が前記ライフリズムセンサ１９等で監視（警戒）されているモードである。
【００１８】
前記判断Ｓ１００で「ＹＥＳ」の場合、すなわち住人Ｍが在宅中の場合は、ライフリズムタイマ１５ｂがカウントアップ（Ｓ２０１）し、ライフリズムセンサ１７が住人Ｍを検知したか否かが判断（Ｓ２０２）される。この判断Ｓ２０２で「ＮＯ」の場合、すなわち警戒モード中でライフリズムセンサ１７が住人Ｍを検知しない場合は、ライフリズムタイマ１５ｂがタイムアップか否かが判断（Ｓ２０３）される。この判断Ｓ２０３で「ＹＥＳ」の場合、すなわち、警戒モード中で予め設定されているライフリズムタイマ１５ｂの設定時間の間に、ライフリズムセンサ１７で住人Ｍが一度も検知されない場合は、ライフリズム異常と判定（Ｓ２０４）して異常通知（Ｓ２０５）を行い、その後、プログラムがエンド（Ｓ２０６）となる。なお、ライフリズムタイマ１５ｂの設定時間は、例えば４〜１２時間程度の住人Ｍのライフリズムに応じて任意に設定される。
【００１９】
一方、判断Ｓ２０２で「ＹＥＳ」の場合、すなわち警戒モード中に住人Ｍがトイレ３２に入りこれをライフリズムセンサ１７が検知した場合は、ライフリズムタイマ１５ｂをクリア、すなわちリセット（Ｓ２０７）し、判断Ｓ１００に戻る。また、判断Ｓ２０３でライフリズムタイマ１５ｂがタイムアップされていない「ＮＯ」の場合も、判断Ｓ１００に戻る。つまり、警戒モードに設定されている場合は、ライフリズムタイマ１５ｂが動作して、該タイマ１５ｂの設定時間内にライフリズムセンサ１７が住人Ｍを検知しない場合に、ライフリズム異常を通知することになる。
【００２０】
以上が警戒モード時の動作であるが、次に解除モード時の動作について説明する。この「解除モード」とは、住人Ｍが就寝したり外出する際等に使用され、住人Ｍがコントローラ２の前記解除スイッチ５を操作することで、ライフリズムセンサ１７による検知機能を無効にするモードである。この解除モードの場合は、前記判断Ｓ１００で「ＮＯ」となり、警戒モード移行タイマ１５ａがカウントアップ（Ｓ１１０）し、ライフリズムセンサ１７が住人Ｍを検知したか否かが判断（Ｓ１１１）される。この判断Ｓ１１１で「ＹＥＳ」の場合、すなわち解除モード中に、ライフリズムセンサ１７が住人Ｍを検知した場合は、警戒モード移行タイマ１５ａがタイムアップか否かが判断（Ｓ１１２）される。この判断Ｓ１１２で「ＹＥＳ」の場合、すなわち警戒モード移行タイマ１５ａが予め設定した時間経過した場合は、警戒モード（Ｓ１１３）に設定されて判断Ｓ１００に戻る。なお、警戒モード移行タイマ１５ａの設定時間は、例えば３０分程度の任意に設定される。
【００２１】
また、前記判断Ｓ１１１で「ＮＯ」でライフリズムセンサ１７が住人Ｍを検知しない場合や、前記判断Ｓ１１２で「ＮＯ」で警戒モード移行タイマ１５ａがタイムアップしていない場合は、いずれも判断Ｓ１００に戻る。つまり、解除モードの場合は、警戒モード移行タイマ１５ａのカウント中にライフリズムセンサ１７が住人Ｍを検知しても、直ちに警戒モードに移行することはなく、ライフリズムセンサ１７が住人Ｍを検知してから警戒モード移行タイマ１５ａの設定時間が経過した時点で警戒モードに移行することになる。これにより、住人Ｍが解除操作を行って就寝したり外出先から帰宅した時に、警戒モードへの設定操作を忘れても、警戒モード移行タイマ１５ａの時間が経過した後に自動的に警戒モードに設定されることになり、解除モードのままで就寝したり、あるいは帰宅して在宅しているにも係わらず長時間解除モード中になることが確実に防止されることになる。
【００２２】
次に、前記出入口センサ１８による解除準備モード時の動作を、図６のフローチャートに基づいて説明する。なお、図５と同一のステップには、同一符号を付して説明する。図６に示すように、判断Ｓ１００で「警戒モード」の場合、先ず、出入口センサ１８が住人Ｍを検知したか否かが判断（Ｓ１０１）される。そして、この判断Ｓ１０１で「ＮＯ」の場合、すなわち警戒モードで出入口センサ１８が住人Ｍを検知しない場合は、解除準備モードか否かが判断（Ｓ１０２）される。
【００２３】
この判断Ｓ１０２で「ＹＥＳ」の場合は、前記制御部１６の解除準備タイマ１５ｃがカウントアップ（Ｓ１０３）し、判断Ｓ１０２で「ＮＯ」の場合、すなわちコントローラ２が警戒モードで解除準備モードでない場合は、判断Ｓ１００に戻る。ステップＳ１０３で解除準備タイマ１５ｃのカウントアップが実行されると、解除準備モード停止スイッチ６がオンか否かが判断（Ｓ１０４）される。この判断Ｓ１０４で「ＮＯ」の場合、すなわち、解除準備モード停止スイッチ６がオフの場合は、解除準備タイマ１５ｃがタイムアップか否かが判断（Ｓ１０５）され、また、判断Ｓ１０４で「ＹＥＳ」の場合、すなわち、解除準備停止スイッチ６が住人Ｍによりオン操作された場合は、前記警戒モード（Ｓ１１３）に移行する。
【００２４】
また、前記判断Ｓ１０５で「ＹＥＳ」の場合、すなわち、出入口センサ１８がオンして解除準備モードがスタートした後に、解除準備モード停止スイッチ６がオフで解除準備タイマ１５ｃがタイムアップされた場合は、解除モード（Ｓ１０６）に設定されて、解除中メッセージが報知（Ｓ１０７）され、その後に判断Ｓ１００に戻る。また、判断Ｓ１０５で「ＮＯ」の場合、すなわち解除準備タイマ１５ｃがタイムアップされていない場合は、解除準備中メッセージが報知（Ｓ１０９）されて、その後に判断Ｓ１００に戻る。
【００２５】
なお、ステップＳ１０７における解除中メッセージの報知は、例えば５分等の一定時間毎に定期的に行われ、前記スピーカ８から所定の音声で報知したり、前記表示器９による表示で実行される。この解除中メッセージの報知により、コントローラ２が解除中であることを住人Ｍが聴覚や視覚を介して認識することになる。また、ステップＳ１０９における解除準備中メッセージの報知は、例えば１分等の一定時間毎に定期的に行われるか、あるいは解除準備タイマ１５ｃのタイムアップの所定時間前に行われ、前記スピーカ８や表示器９により前記解除中メッセージとは異なる形態で実行される。この解除準備中メッセージにより、コントローラ２が解除準備中であることを住人Ｍが聴覚や視覚を介して認識することになる。
【００２６】
一方、前記判断Ｓ１０１で「ＹＥＳ」の場合、すなわち警戒モードで出入口センサ１８が動作してオンになった場合は、解除準備モードがスタート（Ｓ１０８）し、解除準備タイマ１５ｃがリセット等されて、ステップＳ１００に戻る。
【００２７】
つまり、Ｓ１０１〜Ｓ１０９のフローチャートにおいては、住人Ｍが在宅しコントローラ２が警戒モードに設定されている状態で、出入口センサ１８が住人Ｍを検知すると、解除準備モードがスタートして、この解除準備モード中で予め設定されている解除準備時間が経過すると、解除モードに自動的に移行する。そして、解除準備モードがスタートすると、解除中のメッセージが報知されると共に、解除準備タイマ１５ｃの動作中には、解除準備中であることが報知されることなる。
【００２８】
したがって、住人Ｍが警戒モードである在宅中に新聞を取るために、図７の二点鎖線で示すように、居間３１から出入口である玄関３３に移動すると、玄関３３に設置されている出入口センサ１８が住人Ｍを検知し、解除準備モードがスタートし、解除準備中であることがメッセージとして報知される。この報知を住人Ｍが認識し警戒モードを継続する場合は、コントローラ２の解除準備モード停止スイッチ６を操作して警戒モードに設定することで行われる。なお、前記解除準備時間の例を上げると、前記警戒モード移行タイマ１５ａの設定時間を例えば４時間と仮定すると、解除準備モードの時間、すなわち解除準備タイマ１５ｃの設定時間は前述した５分程度と十分に短くすることが好ましい。
【００２９】
なお、以上の各フローチャートは一例であって、例えば図６におけるステップＳ１０９を省略して、ステップＳ１０７で「解除中」のメッセージのみを報知したり、ステップＳ１０７を省略して、ステップＳ１０９で「解除準備中」のメッセージのみを報知するようにしても良い。また、図６のフローチャートにおいては、解除準備タイマ１５ｃのカウント中で、解除準備モード停止スイッチ６が操作された場合に、解除準備モードが停止して警戒モードに戻るようにしたが、例えば前記判断Ｓ１０４において、ライフリズムセンサ１７が住人Ｍを検知したか否かを判断しても良い。
【００３０】
この場合は、ライフリズムセンサ１７が住人を検知して判断Ｓ１０４で「ＹＥＳ」の場合、すなわち、住人Ｍが新聞を取りに行って解除準備モードがスタートした後に、住人Ｍがトイレ３２に入ってこれをライフリズムセンサ１７が検知した場合に、解除準備モードを停止させて警戒モード（Ｓ１１３）に戻ることになる。このように、前記各フローチャートは、同等の動作・作用が得られる適宜のフローチャートを採用することができる。
【００３１】
以上詳述したように、前記実施形態の緊急通報装置１によれば、コントローラ２の解除スイッチ５の解除操作でコントローラ２が解除モードのときに、ライフリズムセンサ１７が住人Ｍを検知しても警戒モード移行タイマ１５ａで予め設定した時間が経過するまで警戒モードに移行しないため、起床時や外出先からの帰宅時に住人Ｍがコントローラ２を一々操作しなくても、警戒モード移行タイマ１５ａで設定した時間が経過することで解除モードを自動的に警戒モードに設定できて、緊急通報装置１の信頼性を十分に高めることができると共に、コントローラ２の構成の複雑化を抑えて、緊急通報装置１自体を安価に形成することができる。
【００３２】
また、ライフリズムタイマ１５ｂで予め設定した時間内にライフリズムセンサ１７が住人Ｍを検知しない場合に、コントローラ２がライフリズム異常と判定するため、警戒モード中におけるライフリズム異常を確実に検知することができる。また、警戒モード移行タイマ１５ａの設定時間がライフリズムタイマ１５ｂの設定時間に対して、例えば警戒モード移行タイマ１５ａの設定時間が３０分でライフリズムタイマ１５ｂの設定時間が４時間のように、十分短い時間に設定されるため、ライフリズム異常の検知精度を低下させることなく、解除モードから警戒モードへの自動設定を一層確実に行うことができ、使い勝手と信頼性に優れた緊急通報装置１を提供することができる。
【００３３】
また、前記緊急通報装置１の場合、解除準備モードが設けられているため、次のような作用効果を得ることもできる。ちなわち、ライフリズムセンサ１７と出入口センサ１８が接続されるコントローラ２が、出入口センサ１８で住人Ｍを検知した場合に、解除準備タイマ１５ｃで予め設定した時間解除準備モードに自動的に設定され、この解除準備モードの時間経過後に解除モードに設定されるため、例えば住人Ｍが新聞を取りに行ったり来客が来た場合等に、コントローラ２が解除モードに直ちに移行することがなくなると共に、解除準備モードがその時間経過中に解除可能であるため、在宅時の解除モードへの誤設定を確実に防止し、外出時等の誤動作を軽減できてコントローラ２のライフリズムの設定時間、つまりライフリズムタイマ１５ｂの設定時間を短くすることができる。
【００３４】
特に、解除準備モードが、ライフリズムセンサ１７が動作した場合、あるいは住人Ｍによりコントローラ２の解除準備モード停止スイッチ６が操作された場合等に解除されるため、例えば住人Ｍが新聞を取りに行ったり来客が来ることで解除準備モードがスタートしても、トイレ３２等を使用してライフリズムセンサ１７が動作したり、報知に基づき住人Ｍがコントローラ２の解除準備モード停止スイッチ６を操作をすること等で解除準備モードを自動的に解除でき、在宅時の解除準備モードの解除を確実に行って、緊急通報装置１の信頼性を一層高めることができる。
【００３５】
また、コントローラ２が解除準備モードに設定された際に、当該該モードであることを住人にスピーカ８による音声や表示器９による表示により報知可能であるため、解除準備モードに設定された際に、コントローラ２が当該モードであることを住人に確実に報知できて、在宅時の解除モードへの誤設定を防止することができる。さらに、「解除準備中」メッセージ等の報知が予め設定された時間毎に定期的もしくは解除準備モードのタイムアップ前に行われるため、解除モードであることを住人Ｍに一層確実に報知できて、在宅時の解除モードへの誤設定をより確実に防止することができる。
【００３６】
なお、前記実施形態においては、制御部１６のタイマ１５に解除準備タイマ１５ｃを設けると共に、住宅３０の玄関３３に出入口センサ１８を設けて、解除準備モードに設定可能に構成したが、本発明は、この構成に限定されず、例えば解除準備タイマ１５ｃや出入口センサ１８及び解除準備モード停止スイッチ６等を省略して、解除準備モードを設けない構成とすることもできる。
【００３７】
また、前記実施形態における、各タイマ１５ａ〜１５ｃの具体的時間、ライフリズムセンサ１７や出入口センサ１８の住宅３０への設置場所、制御装置１０のブロック構成、コントローラ２の外形形状や各部品の配置形態、報知手段の構成等は一例であって、例えば解除スイッチ５と解除準備モード停止スイッチ６を兼用する構成としたり、各種スイッチや操作部をタッチパネル式とする等、本発明に係わる各発明の要旨を逸脱しない範囲において適宜に変更することができる。
【産業上の利用可能性】
【００３８】
本発明は、一人暮らしの一般住宅に限らず、例えば一人暮らしの多いマンション等の集合住宅にも適用できるし、一人暮らしに限らず夫婦二人で暮らす各種住宅等の緊急通報装置にも利用できる。
【符号の説明】
【００３９】
１・・・・・・・緊急通報装置
２・・・・・・・コントローラ
５・・・・・・・解除スイッチ
６・・・・・・・解除準備モード停止スイッチ
８・・・・・・・スピーカ
９・・・・・・・表示器
１０・・・・・・制御装置
１４・・・・・・ＣＰＵ
１５・・・・・・タイマ
１５ａ・・・・・警戒モード移行タイマ
１５ｂ・・・・・ライフリズムタイマ
１５ｃ・・・・・解除準備タイマ
１６・・・・・・制御部
１７・・・・・・ライフリズムセンサ
１８・・・・・・出入口センサ
１９・・・・・・操作部
２１・・・・・・電話網
２２・・・・・・電話回線
３０・・・・・・住宅
３１・・・・・・居間
３２・・・・・・トイレ
３３・・・・・・玄関
Ｍ・・・・・・・住人
【図１】
0005755127.tif 000002
【図２】
0005755127.tif 000003
【図３】
0005755127.tif 000004
【図４】
0005755127.tif 000005
【図５】
0005755127.tif 000006
【図６】
0005755127.tif 000007
【図７】
0005755127.tif 000008